(57)【要約】【課題】情報表示機能のみならず、花が開花しているような意匠性をもたせることができる園芸用ラベルを提供する。【解決手段】植木に取り付ける園芸用ラベルであって、花の形状、図柄又はこれらの組合せによる花の模造品からなることを特徴とする園芸用ラベルに係る。【選択図】図２
2013009619.tif 000002
【特許請求の範囲】
【請求項１】
植木に取り付ける園芸用ラベルであって、花の形状、図柄又はこれらの組合せによる花の模造品からなることを特徴とする園芸用ラベル。
【請求項２】
花の模造品が、花の輪郭を施したシート状物を略円錐状に形成した成形物であって、かつ、前記成形物の内面に花の図柄の意匠が施されている、請求項１に記載の園芸用ラベル。
【請求項３】
植木に直接取り付けるためのスリット状取付部を有する、請求項１に記載の園芸用ラベル。
【発明の詳細な説明】
【技術分野】
【０００１】
本発明は、植木に取り付ける園芸用ラベルに関する。
【背景技術】
【０００２】
園芸用ラベルは、例えば観賞花、観葉植物等の植木、植木鉢、土壌等に設置されるものであり、その品種、育成方法、その他の情報を紙、樹脂シート等が表記されている。これら表記する情報に応じて種々のタイプの園芸用ラベルが利用されている。また、設置方法としても、例えば植木に吊り下げるタイプ、土に差し込むタイプ等の各種の園芸用ラベルが知られている。
【０００３】
これまでの園芸用ラベルにおいては、使いやすさ又は見やすさの見地より構成・構造にいろいろな工夫を加えたものが提案されている。例えば、表示部と差込部とを連接させた園芸用ラベルにおいて、一端を表示部、他端を差込部としてその間を連接部となし、連接部の差込部側に差込部の反転折曲部を表示部側に差込部の幅より僅かに大きい幅を有する差込部装入用スリットを形成した園芸用ラベルが知られている（特許文献１）。
【０００４】
また例えば、ラベル本体にラベルの目的とする情報が記入され、取り付け機能部によって取り付け対象に取り付けられて使用される園芸用ラベルであって、前記取り付け機能部は、前記ラベル本体の一端から帯状に延び，取り付け対象に巻き付けられる巻き付け部と、前記巻き付け部の先端部分が差し込まれる差し込み口とからなり、前記差し込み口に前記巻き付け部の先端部分を差し込んだ状態を維持するためのストッパー機能を備え、前記ラベル本体と前記取り付け機能部とが一体に形成されたことを特徴とする園芸用ラベルが提案されている（特許文献２）。
【先行技術文献】
【特許文献】
【０００５】
【特許文献１】特許第４４８５４９３号
【特許文献２】特開２００７−１５５８７３
【発明の概要】
【発明が解決しようとする課題】
【０００６】
しかしながら、上記の従来技術による園芸用ラベルは、主として情報表示としての役割を果たすものであり、意匠性についてはあまり考慮されていない。このため、鑑賞花であっても、開花していない状態では枝葉と園芸用ラベルが視認されるだけであって、意匠性に乏しい状態となる。例えばハイビスカス、アサガオ等のいわゆる一日花にあっては、主に昼間は開花しているが、夜間には花が閉じた状態となることが多いため、花が閉じた時間帯は鑑賞花としての役目を果たすことができない。このため、開花していない状態においても開花している状態に近い印象（華やかさ、明るさ等）を植木に与えることができれば、鑑賞花としての役割をより高めることができる。
【０００７】
従って、本発明の主な目的は、情報表示機能のみならず、あたかも開花しているかのような意匠性をもたせることができる園芸用ラベルを提供することにある。
【課題を解決するための手段】
【０００８】
本発明者は、従来技術の問題点に鑑みて鋭意研究を重ねた結果、特定の構成からなるラベルを採用することにより上記目的を達成できることを見出し、本発明を完成するに至った。
【０００９】
すなわち、本発明は、下記の園芸用ラベルに係る。
１．植木に取り付ける園芸用ラベルであって、花の形状、図柄又はこれらの組合せによる花の模造品からなることを特徴とする園芸用ラベル。
２．花の模造品が、花の輪郭を施したシート状物を略円錐状に形成した成形物であって、かつ、前記成形物の内面に花の図柄の意匠が施されている、前記項１に記載の園芸用ラベル。
であって、
３．植木に直接取り付けるためのスリット状取付部を有する、前記項１又は２に記載の園芸用ラベル。
【発明の効果】
【００１０】
本発明の園芸用ラベルは、ラベル自体が花の模造品から構成されており、これを植木（植木の枝、葉、茎等）に直接取り付けるので、開花していない状態においても、あたかも花が咲いているような印象（意匠性）を与えることができる。このため、例えばハイビスカス、アサガオ等の一日花であっても、常に開花している場合と同様の華やかさ、明るさ等を与えることができる。
【００１１】
また、前記の花の模造品として、花の輪郭を施したシート状物を略円錐状に形成した成形物であって、かつ、前記成形物の内面に花の図柄の意匠が施されたものを用いる場合は、シート状物から容易に立体的な形状をつくり出すことができ、意匠性と簡便性を兼ね備えた園芸用ラベルとすることができる。特に、使用前は平面状態で取り扱うことができ（例えば、複数の園芸用ラベルを重ねて持ち運びすることができ）、使用時に現場等で簡単に構成して（組み立てて）植木に取り付けることができるという点でも有利である。
【００１２】
さらに、本発明の園芸用ラベルにおいて、植木の枝、葉等に園芸用ラベルを取り付けるためのスリット状取付口を設ける場合は、針金、ヒモ等の固定部材を用いることなく、園芸用ラベルを簡便に植木に取り付けることが可能となる。
【図面の簡単な説明】
【００１３】
【図１】本発明の実施例における花の模造品の外形の概略図（斜視図）を示す。
【図２】本発明の実施例における花の模造品（略円錐状成形物の内面側）を成形する前の展開図を示す。
【発明を実施するための形態】
【００１４】
本発明の園芸用ラベルは、植木に取り付ける園芸用ラベルであって、花の形状、図柄又はこれらの組合せによる花の模造品からなることを特徴とするものである。植木は、花を咲かせるもの（鑑賞花の植木）であれば良く、その品種、大きさ等は限定されない。例えば、ハイビスカス、アサガオ等を挙げることができる。特に、本発明の園芸用ラベルとしては、前記の花の模造品が、花の輪郭を施したシート状物を略円錐状に形成した成形物であって、かつ、前記成形物の内面に花の図柄（特に一つ（一輪）の花の図柄）の意匠が施されていることが好ましい実施形態である。
【００１５】
本発明の園芸用ラベルを構成する材料としては、特に限定されず、公知又は市販の材料から適宜選択して使用することができる。例えば、シート状物等を用いて園芸用ラベルを構成することができる。シート状物としては、例えば紙、樹脂コーティング紙（合成紙）、プラスチックシート、金属箔のほか、これらの複合材料等の１種又は２種以上の組合せを採用することができる。これらは、例えば植木の種類（品種）、設置場所、印刷方法等に応じて公知又は市販のものから適宜採択すれば良い。例えば、風雨にさらされる場所に配置される苗木の場合は、水に強いシート状材料（例えば樹脂コーティング紙、プラスチックシート等）を使用すれば良い。その他にも、必要に応じて、装飾等のために公知の粒状材料、線状材料等を単独又は組み合わせて使用しても良い。
【００１６】
花の形状、図柄又はこれらの組合せによる花の模造品の態様としては特に制限されず、例えばシート状材料に花のカラー写真印刷等を施したもの、造花、花をモチーフとした成形物等のいずれであっても良い。図１には、本発明の実施形態である花の模造品１の斜視図（底面方向（下方）から見た図）を示す。これは、花のカラー写真印刷を施した樹脂コーティング紙をシート状物として用い、これを略円錐状（ないしは傘状）成形物２となるように成形したものである。この略円錐状成形物２の内面３に一つの花の図柄（好ましくは実物大又はそれに近い大きさの花柄）が施される。従って、図１においては、Ａの方向から見たときに略円錐状成形物２が花の模様として視認される。なお、略円錐状成形物２の底面縁部５は花びらの形状に施すことができるが、図１では前記形状の表記は省略されている。
【００１７】
花の模造品においては、略円錐状成形物を形成した時点でその内面（裏側）が花（特に一つの花）に見えるように、平面のシート状材料に所定の印刷を施しておくこともできる。すなわち、平面のシート状物から成形体に加工する際の変形具合を見込んで対応する絵柄、写真又はイメージ画像を施しておけば、略円錐状成形物２を完成させた段階で視認される花の図柄は本物により近いものとすることができる。略円錐状成形物の外面４は、情報表示（品種名、育成方法、注意書き等の表示）のために利用することができる。
【００１８】
本発明の園芸用ラベルでは、必要に応じてスリット状取付部を形成することもできる。スリット状取付部を設けることによって、園芸用ラベルを植木に直接取り付けることが容易となる。園芸用ラベルを植木に直接取り付ける場合には、１）植木と園芸用ラベルとの距離を短くすることができるとともに、２）意匠性を妨げるおそれがある針金、ヒモ等の固定部材が不要となることから、より自然な感じで意匠性（開花しているかのような印象）をもたせることができる。また、前記のように、針金、ヒモ等の固定部材を使用しないで済むので、本発明の園芸用ラベルを直接植木に簡便に取り付けることができる。スリット状取付部は、対象となる植木（枝、幹、葉等）に園芸用ラベルを直接固定できる限り、その形状、大きさ等は限定されない。例えば、直線状、曲線状（円形状、螺旋状）、階段状等のいずれであっても良い。
【００１９】
また、本発明では、必要に応じて、略円錐形状の成形物を形成するために、成形用アンカー部とそれをはめ込む成形用スリット部を設けることもできる。シート状物から略円錐状成形物を形成する場合は、例えば接着剤、粘着テープ等の接着手段を用いてシート状物の端部どうしを接着して実施することもできるが、成形用アンカー部とそれをはめ込む成形用スリット部とをシート状物に設けることによって、接着手段の使用を省略でき、簡便に成形物をつくることができる。これにより、園芸用ラベル取り付け時の作業性等を高めることができる。
【実施例】
【００２０】
以下に実施例を示し、本発明の特徴をより具体的に説明する。ただし、本発明の範囲は、実施例に限定されない。
【００２１】
実施例１
ハイビスカスの花をあしらった花の模造品からなる園芸用ラベルを作製した。図２には、花の模造品に成形する前のシート状物の平面図（展開図）を示す。この展開図は、円錐形の斜面の展開部分に対応するものであり、略扇形となっている。シート状物２０は、合成紙（ユポ（登録商標））に一つのハイビスカスの花柄をカラー印刷し、その花びらの輪郭に沿って切り出したものである。このシート状物２０には花びらに当たる位置にスリット状取付部２１が形成されている。このスリット状取付部のスリット（切り込み部分）は、直線状であるが、例えば曲線状、螺旋状等のいずれであっても良い。また、シート状物２０には、略円錐状に成形できるように、成形用アンカー部２３とそれをはめ込む成形用スリット２２が設けられている。
【００２２】
次に、成形用アンカー部２３を成形用スリット２２にはめ込んで固定することによって略円錐状成形物２を作製する。このとき、上記の花柄の印刷は、成形用アンカー部２３を成形用スリット２２にはめ込むことではじめて自然のハイビスカスの花柄が完成するように施されている。これは、通常の写真技術、印刷技術等を用いて設計することができる。このようにして略円錐状（外径約１４ｃｍ×高さ約４ｃｍ）の内面（図１における符号３）に一輪の赤色のハイビスカスの花の意匠が施された園芸用ラベルを完成させた。
【００２３】
この園芸用ラベルをそのスリット状取付部２１を介してハイビスカスの枝又は葉に直接取り付けたところ、ハイビスカスの実際の濃緑色の葉の中に混じって赤色の花をあしらった園芸用ラベルが明確に視認できた。これにより、ハイビスカスが開花していない状態においても、開花しているような華やかな印象を与えることができた。
【図１】
2013009619.tif 000003
【図２】
2013009619.tif 000004